(57)【要約】【課題】複数の撮影オーダがＦＰＤに割り当てられている場合に、容易にＦＰＤに係るワークフローを把握して、効率良く医用画像の撮影を行う。【解決手段】医用画像の撮影前に、情報管理装置３０によりＦＰＤ１０に固有のＦＰＤＩＤを発行させると共に、ＦＰＤＩＤに複数の撮影オーダ情報を振り分けて、振り分けた撮影オーダ情報から撮影準備情報を抽出させ、対応するＦＰＤ１０に撮影準備情報を送信して、ＦＰＤ１０の表示部１２に撮影準備情報を表示させる。【選択図】図１
2005160764.tif 000002
【特許請求の範囲】
【請求項１】
撮影オーダ情報を管理する情報管理装置と、光電変換部を有し、被写体を透過した放射線像を記録するカセッテ装置とがネットワークを介して接続される医用画像システムであって、
前記情報管理装置は、
前記カセッテ装置の識別情報を取得し、当該カセッテ装置の識別情報に対応付けて前記撮影オーダ情報を振り分ける制御手段と、
前記カセッテ装置の識別情報に対応付けて振り分けられた撮影オーダ情報の少なくとも一部を当該カセッテ装置に送信する通信部と、を備え、
前記カセッテ装置は、
カセッテ装置に振り分けられた撮影オーダ情報の少なくとも一部を受信する通信部と、
受信した撮影オーダ情報の少なくとも一部を記憶する記憶部と、
を備えることを特徴とする医用画像システム。
【請求項２】
前記カセッテ装置は、
前記撮影オーダ情報の少なくとも一部を表示する表示部を備えることを特徴とする請求項１記載の医用画像システム。
【請求項３】
前記カセッテ装置を着脱自在に保持する保持部を備え、放射線を発生させる放射線源と共に用いられる撮影装置に接続され、
前記撮影装置は、
前記保持部に装着されたカセッテ装置から当該カセッテ装置の識別情報を取得する取得手段と、
前記カセッテ装置の識別情報を送信し、当該カセッテ装置の識別情報に対応する撮影オーダ情報を受信する通信部と、
前記受信した撮影オーダ情報を表示する表示部と、を備え、
前記情報管理装置において、
前記通信部は、前記カセッテ装置の識別情報を受信し、当該カセッテ装置の識別情報に対応付けて振り分けられた撮影オーダ情報を撮影装置に送信することを特徴とする請求項１記載の医用画像システム。
【請求項４】
前記撮影装置は、
前記カセッテ装置に記録された放射線像が光電変換された医用画像を取得する画像取得部を備え、
前記表示部は、前記取得された医用画像を表示することを特徴とする請求項１から３のいずれか一項に記載の医用画像システム。
【発明の詳細な説明】
【技術分野】
【０００１】
本発明は、ＦＰＤを利用して放射線画像を撮影する医用画像システムに関する。
【背景技術】
【０００２】
近年、医用画像として広く用いられている放射線画像をデジタル画像データとして取得するＣＲ（Computed Radiography）撮影装置とともに、ＦＰＤ（Flat Panel Detector）を用いた撮影装置が用いられるようになってきている。ＦＰＤ撮影装置は、ＣＲ撮影装置に対し、放射線像を直接にデジタル変換することができるため、撮影現場で一時的に画像を確認することにより、撮影の成否を直ちに判別できる利点を有している（例えば、特許文献１参照）。
【０００３】
また、ＦＰＤは通信機能を備え、病院内の情報を管理するシステム（以下、ＨＩＳ；Hospital Information Systemという。）や放射線科内の情報を管理するシステム（以下、ＲＩＳ；Radiology Information Systemという。）等にＬＡＮ（Local Area Network）等の通信ネットワークを介して接続され、取得した医用画像を情報管理装置に送信することが可能である。したがって、患者を撮影後、撮影現場で技師により画像を確認し、撮影が成功している場合には、ネットワークを介して医用画像を情報管理装置に送信、蓄積させることにより、ＦＰＤに記録した医用画像を消去して連続した撮影を行うことができる。これにより、従来のカセッテにおけるような撮影毎のフィルム交換、カセッテの再設置が不必要となり、撮影者の労力を軽減し、簡単な作業過程で撮影を行うことができる。
【特許文献１】特開２００２−３３６２２５号公報
【発明の開示】
【発明が解決しようとする課題】
【０００４】
しかしながら、ＦＰＤを利用して撮影を行う場合、１枚のＦＰＤには複数の撮影オーダ情報が割り当てられるため、ＦＰＤと撮影オーダ情報との対応付けが複雑になるという問題があった。すなわち、１枚のＦＰＤに複数の撮影オーダ情報が振り分けられることにより、１枚のＦＰＤに係るワークフローが複雑になり、撮影を行う技師がワークフローを把握しきれない場合が生じる。このような場合、適切な業務計画を立てることができず、作業効率が低下し、患者に負担を強いる結果にもなる。
【０００５】
本発明の課題は、複数の撮影オーダがＦＰＤに割り当てられている場合に、容易にＦＰＤに係るワークフローを把握して、効率良く医用画像の撮影を行うことができる医用画像システムを提供することである。
【課題を解決するための手段】
【０００６】
上記課題を解決するために、請求項１記載の発明は、
撮影オーダ情報を管理する情報管理装置と、光電変換部を有し、被写体を透過した放射線像を記録するカセッテ装置とがネットワークを介して接続される医用画像システムであって、
前記情報管理装置は、
前記カセッテ装置の識別情報を取得し、当該カセッテ装置の識別情報に対応付けて前記撮影オーダ情報を振り分ける制御手段と、
前記カセッテ装置の識別情報に対応付けて振り分けられた撮影オーダ情報の少なくとも一部を当該カセッテ装置に送信する通信部と、を備え
前記カセッテ装置は、
カセッテ装置に振り分けられた撮影オーダ情報の少なくとも一部を受信する通信部と、
受信した撮影オーダ情報の少なくとも一部を記憶する記憶部と、
を備えることを特徴としている。
【０００７】
請求項２記載の発明は、請求項１記載の医用画像システムにおいて、
前記カセッテ装置は、
前記撮影オーダ情報の少なくとも一部を表示する表示部を備えることを特徴としている。
【０００８】
請求項３記載の発明は、請求項１記載の医用画像システムにおいて、
前記カセッテ装置を着脱自在に保持する保持部を備え、放射線を発生させる放射線源と共に用いられる撮影装置に接続され、
前記撮影装置は、
前記保持部に装着されたカセッテ装置から当該カセッテ装置の識別情報を取得する取得手段と、
前記カセッテ装置の識別情報を送信し、当該カセッテ装置の識別情報に対応する撮影オーダ情報を受信する通信部と、
前記受信した撮影オーダ情報を表示する表示部と、を備え、
前記情報管理装置において、
前記通信部は、前記カセッテ装置の識別情報を受信し、当該カセッテ装置の識別情報に対応付けて振り分けられた撮影オーダ情報を撮影装置に送信することを特徴としている。
【０００９】
請求項４記載の発明は、請求項１から３のいずれか一項に記載の医用画像システムにおいて、
前記撮影装置は、
前記カセッテ装置に記録された放射線像が光電変換された医用画像を取得する画像取得部を備え、
前記表示部は、前記取得された医用画像を表示することを特徴としている。
【発明の効果】
【００１０】
請求項１記載の発明によれば、情報管理装置において、カセッテ装置の識別情報に対応して撮影オーダ情報が振り分けられ、振り分けられた撮影オーダ情報の少なくとも一部が対応するカセッテ装置に送信されるため、カセッテ装置において撮影オーダ情報の少なくとも一部を受信し、受信した撮影オーダ情報の少なくとも一部を記憶することにより、カセッテ装置に振り分けられた撮影オーダ情報を明確に把握することができる。これにより、例えば、カセッテ装置の記憶部に記憶された撮影オーダ情報の一部を参照するだけで、カセッテ装置に係る業務フローを容易に把握することができ、効率良く撮影処理を行うことができる。また、カセッテ装置と振り分けられた撮影オーダ情報との関連を明確にして、撮影オーダ情報を振り分ける際の重複又は漏れを防止することができる。
【００１１】
請求項２記載の発明によれば、カセッテ装置の備える表示部に当該カセッテ装置に振り分けられた撮影オーダ情報の一部を表示させることにより、カセッテ装置に係る撮影業務のワークフローを容易に把握することができる。これにより、効率の良い業務計画に基づいて撮影処理を行うことができ、患者及び作業者の負担を軽減させることができる。
【００１２】
請求項３記載の発明によれば、撮影装置にカセッテ装置が装着された場合に、カセッテ装置から識別情報を取得し、当該カセッテ装置の識別情報に対応する撮影オーダ情報を情報管理装置から取得して、撮影装置の表示部に表示させることができるため、撮影時に的確な情報に基づいて、カセッテ装置に係る撮影業務を行うことができる。
【００１３】
請求項４記載の発明によれば、カセッテ装置に記録された放射線像を光電変換した医用画像を撮影装置の表示部に表示させることができるため、撮影後、その場で医用画像の確認を行うことができる。これにより、医用画像の撮影の成否を速やかに判断することができ、必要に応じて再撮影等を行うことにより、高品質な医用画像を取得することができる。
【発明を実施するための最良の形態】
【００１４】
以下、図１〜図７を参照して本発明の実施の形態を詳細に説明する。ただし、発明の範囲は、図示例に限定されない。
【００１５】
まず、本実施の形態の構成を説明する。
図１は、本発明に係る医用画像システム１００のシステム構成を示す概念図である。図１に示すように、医用画像システム１は、ＦＰＤ１０ａ〜１０ｄ、医用画像撮影装置２０、情報管理装置３０、医用画像表示装置４０等から構成され、各装置はネットワークＮを介して相互にデータの送受信及び入出力が可能となるように接続されている。
【００１６】
ＦＰＤ１０ａ〜１０ｄ（以下、統括的に「ＦＰＤ１０」と記す）は、放射線蛍光体や放射線光導電体とＴＦＴスイッチング素子等の２次元半導体検出器を組み合わせて放射線画像情報を読み取るカセッテ装置であり、読み取った放射線像を直接にデジタル変換することにより医用画像を取得する。また、本発明に特徴的な構成として、ＦＰＤ１０は、情報管理装置３０から撮影準備に必要となる情報（以下、「撮影準備情報」と記す）、例えば、検査ＩＤ、患者名、撮影室、撮影装置等を取得して、ＦＰＤ本体に備える表示部に表示するものである。
【００１７】
医用画像撮影装置２０（以下、「撮影装置２０」と記す）は、ＦＰＤ１０を保持又は支持するブッキー台又は臥位テーブルを備える立位型又は臥位型の撮影装置である。撮影装置２０は、放射線源を制御して被写体に放射線を照射し、撮影装置２０に装着されたＦＰＤ１０に放射線像を記録させる。また、撮影装置２０は、ＦＰＤ１０で読み取った医用画像を取得して、撮影オーダ情報と対応付けて、情報管理装置３０に送信する。
【００１８】
情報管理装置３０は、医師から指示された撮影オーダ情報と医用画像とを一括して管理する装置である。この撮影オーダ情報には、撮影する患者の氏名や性別等の患者に関する情報（以下、「患者情報」と記す）や、撮影部位、撮影方法、撮影室、撮影装置等の撮影に関する情報（以下、「撮影情報」と記す）が含まれ、どの患者に対して、どのような撮影を行うかといった詳細な情報が示されている。情報管理装置３０は、撮影準備として、ＦＰＤ１０ａ〜１０ｄからの要求指示に応じて、ＦＰＤ１０ａ〜１０ｄを一義的に識別するための識別情報（以下、「ＦＰＤＩＤ」と記す）を発行し、ＦＰＤＩＤ毎に撮影オーダ情報を振り分ける。そして、撮影オーダ情報の中から撮影準備情報を抽出してＦＰＤＩＤに対応するＦＰＤ１０ａ〜１０ｄに送信する。
【００１９】
また、撮影時、撮影装置２０の要求に応じてＦＰＤＩＤに対応する撮影オーダ情報を取得して、撮影装置２０に送信する。さらに、撮影終了後、撮影された医用画像及び撮影オーダ情報を撮影装置２０から受信し、撮影オーダ情報と医用画像を対応付けて管理する。なお、他の情報管理装置として、撮影オーダ情報の予約受付を行う受付装置（図示せず）を適用しても良く、ＨＩＳ（Hospital Information System）やＲＩＳ（Radiology Information System）等の情報管理システムを適用することとしてもよい。
【００２０】
医用画像表示装置４０（以下、「表示装置４０」と記す）は、診察室等に設置され、ＣＲＴ（Cathode Lay Tube）、ＬＣＤ（Liquid Crystal Display）等から構成される表示ディスプレイを備える装置である。この表示装置４０に、医用画像を表示させ、医用画像の読影を行う。
【００２１】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することが好ましい。
【００２２】
次に、本発明において主要な構成要素となる各装置について詳細に説明する。
図２は、ＦＰＤ１０ａ〜１０ｄの機能的構成を示すブロック図である。図２に示すように、ＦＰＤ１０は、ＣＰＵ１１、表示部１２、操作部１３、画像読取部１４、ＲＡＭ１５、記憶部１６、Ｉ／Ｆ１７等から構成され、各部はバスにより接続されている。
【００２３】
ＣＰＵ（Central Processing Unit）１１は、記憶部１６に格納されているシステムプログラム及び各種アプリケーションプログラムの中から指定されたプログラムをＲＡＭ１５に展開し、当該プログラムに従ってＦＰＤ１０の各部を集中制御する。具体的に、ＣＰＵ１１は、記憶部１６から撮影準備処理プログラムを読み出して、情報管理装置３０からＦＰＤＩＤ及び撮影準備情報を取得する撮影準備処理（図５（ａ）参照）を実行する。なお、処理の詳細については後述する。
【００２４】
表示部１２は、ＬＣＤ（Liquid Crystal Display）等による表示ディスプレイを備えた表示手段であり、ＣＰＵ１１からの表示指示に基づいてＦＰＤＩＤ、撮影準備情報等の各種情報を表示する。
【００２５】
操作部１３は、カーソルキー、数字キー及び各種機能キー等を備えて構成され、撮影者により押下されたキーに対応する押下信号をＣＰＵ１１に出力する。例えば、操作部１３は、画像消去キーを備え、当該キーが操作されると、ＣＰＵ１１に医用画像の消去指示を出力する。なお、操作部１３は、必要に応じてタッチパネル等のポインティングデバイスや、その他の入力装置を備えるものとしてもよい。
【００２６】
画像読取部１４は、例えば、固体光検出器と放射線を可視光に変換するシンチレータとを積層して構成され、固体光検出器は、石英ガラスからなる基板上に、アモルファス半導体と、該アモルファス半導体を挟む透明導電膜及び導電膜とからなる固体光検出素子をマトリクス状に配列してなる。固体光検出器では、対象物を透過した放射線をシンチレータで可視光に変換し、この可視光を固体光検出素子の光電変換部により電気信号として検出する。そして、検出した電気信号を、各個体検出素子から所定の読み出し方法により読み出し、Ａ／Ｄ変換して放射線画像信号として出力する。この放射線画像信号は、デジタル医用画像データとして記憶部１６に記憶される。
【００２７】
ＲＡＭ（Random Access Memory）１５は、前述の指定されたアプリケーションプログラム、入力指示、入力データ及び処理結果等を格納するワークメモリエリアを有する。
【００２８】
記憶部１６は、ＳＲＡＭ（Static Random Access Memory）やＳＤＲＡＭ（Synchronous Dynamic Random Access Memory）等の揮発性メモリ、又はフラッシュメモリ等の不揮発性メモリにより構成される。記憶部１６は、ＦＰＤＩＤや撮影準備情報、画像読取部１４から出力される医用画像データを記憶する。また、ＣＰＵ１１において、データの一時保存が必要な場合等にも用いられる。
【００２９】
Ｉ／Ｆ１７は、ＦＰＤ１０と、撮影装置２０又は情報管理装置３０とを接続するためのインターフェースであり、ＦＰＤ１０と、撮影装置２０又は情報管理装置３０との間で、データの転送速度の調整や、データ形式の変換を行い、両者間のデータのやりとりを仲介する。なお、Ｉ／Ｆ１７は、ＰＨＳ等の携帯電話端末に接続され、無線通信を確立してネットワークＮに接続される構成であってもよい。
【００３０】
次に、図３を参照して撮影装置２０について詳細に説明する。図３は、撮影装置２０の機能的構成を示すブロック図である。図３に示すように、撮影装置２０は、ＣＰＵ２１、表示部２２、操作部２３、画像処理部２４、通信部２５、ＲＡＭ２６、記憶部２７、放射線源２８、Ｉ／Ｆ２９等を備えて構成され、各部はバスにより接続されている。なお、撮影装置２０は、上述したＦＰＤ１０と略同一の構成部分を備えてなるため、重複する部分については、対応する記号を付し、詳細な説明を省略する。
【００３１】
ＣＰＵ２１は、記憶部２６に格納されているシステムプログラム及び各種アプリケーションプログラムの中から指定されたプログラムをＲＡＭ２５に展開し、当該プログラムに従って撮影装置２０の各部を集中制御する。具体的に、ＣＰＵ２１は、記憶部２６から撮影処理プログラムを読み出して、ＦＰＤ１０を使用して医用画像の撮影を行う撮影処理（図６参照）を実行する。なお、処理の詳細については後述する。
【００３２】
通信部２４は、ＬＡＮアダプタやルータやＴＡ（Terminal Adapter）等によって構成され、専用線、或いはＩＳＤＮ回線等の通信回線を介してネットワークＮに接続された各装置との間の通信を制御する。
【００３３】
記憶部２６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置２６に固定的に設けられるもの又は着脱自在に装着するものである。
【００３４】
画像処理部２７は、ＦＰＤ１０から入力された医用画像データに各種画像処理を施して表示部２２に出力する。各種画像処理には、画像コントラストを調整する階調処理、コントラスト補正処理、画像の鮮鋭度を調整する周波数強調処理、ダイナミックレンジの広い画像を被写体の細部のコントラストを低下させることなく見やすい濃度範囲に収めるためのダイナミックレンジ圧縮処理等が含まれる。
【００３５】
放射線源２８は、放射線（例えば、Ｘ線）を発生する管球等により構成され、被写体に対して移動可能なように設置されている。放射線源２８は、ＣＰＵ１１の指示に応じて、撮影条件に応じた所定の強度の放射線を被写体に照射する。
【００３６】
次に、情報管理装置３０について詳細に説明する。なお、情報管理装置３０は、上述した撮影装置２０と略同一の構成部分を備えてなるものであり、同一部分については、対応する符号を付し、詳細な説明を省略する。すなわち、図４に示すように、情報管理装置３０は、ＣＰＵ３１、表示部３２、入力部３３、通信部３４、ＲＡＭ３５、記憶部３６、Ｉ／Ｆ３７等を備えて構成され、各部はバスにより接続されている。
【００３７】
ＣＰＵ３１は、記憶部３６に格納されているシステムプログラム及び各種アプリケーションプログラムの中から指定されたプログラムをＲＡＭ３５に展開し、当該プログラムに従って情報管理装置３０の各部を集中制御する。具体的に、ＣＰＵ３１は、記憶部３６から撮影準備処理プログラムを読み出して、ＦＰＤ１０の要求に応じてＦＰＤＩＤを発行し、撮影準備情報を送信する撮影準備処理（図５（ｂ）参照）を実行する。なお、処理の詳細については後述する。
【００３８】
記録部３６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置３６に固定的に設けられるもの又は着脱自在に装着するものである。
【００３９】
具体的に、記録部３６には、医師から指示された撮影オーダ情報を一括して管理するためのデータベース（ＤＢ）、撮影された医用画像を撮影オーダ情報に対応付けて記録するための医用画像ＤＢ等を備えている。また、記録部３６には、ＦＰＤ１０から取得した医用画像を画像補正するための補正データを撮影装置及びＦＰＤＩＤに対応付けて記憶している。
【００４０】
すなわち、ＦＰＤ１０に搭載される大面積センサは、個々の画素の放射線に対する感度が均一でないため、個々の画素の感度バラツキを補正する必要がある。また、撮影装置２０に固有の放射線照射ムラ、後方錯乱ムラ、使用されるグリッドに起因して画像に重畳されるパターンなど、撮影装置２０に起因する画像劣化も同時に除去又は低減する補正をする必要がある。そこで、各撮影装置２０においてＦＰＤ１０毎に感度補正画像を予め取得しておき、ＦＰＤ１０毎に取得した補正画像の各画素値に基づいて撮影された医用画像に表れる感度の不均一性の影響、撮影装置２０毎の画像劣化を低減させる画像補正を行うための補正データを算出し、これを撮影装置及びＦＰＤＩＤに対応付けて記憶している。
【００４１】
なお、この補正データは、例えば、医用画像と共に対応する補正データが表示装置４０に送信され、表示装置４０にて医用画像を表示させる際に、表示装置４０にて補正データに基づく画像補正処理が実行されるものとする。或いは、撮影時に、撮影オーダ情報と共にＦＰＤＩＤ及び撮影装置２０に対応する補正データが撮影装置２０に送信され、撮影装置２０において医用画像を表示させる際に、補正データを用いた画像補正が施され、表示部２２に表示される構成であってもよい。
【００４２】
次に、本実施の形態の動作を説明する。
なお、後述するフローチャートに記述されている各機能を実現するためのプログラムはコンピュータが読み取り可能なプログラムコードの形態でＦＰＤ１０の記憶部１６、撮影装置２０の記憶装置２６又は情報管理装置３０の記憶部３６に格納されており、ＦＰＤ１０のＣＰＵ１１、撮影装置２０のＣＰＵ２１又は情報管理装置３０のＣＰＵ３１は、当該プログラムコードに従った動作を逐次実行する。
【００４３】
図５を参照して、ＦＰＤ１０及び情報管理装置３０により実行される撮影準備処理について説明する。図５（ａ）は、ＦＰＤ１０のＣＰＵ１１により実行される撮影準備処理を示すフローチャートであり、図５（ｂ）は、情報管理装置３０のＣＰＵ３１により実行される撮影準備処理を示すフローチャートである。まず、図５（ａ）に示すように、ＦＰＤ１０の操作部１３を介して、撮影準備情報の要求指示が入力されると（ステップＳ１）、ＣＰＵ１１は、Ｉ／Ｆ１７を制御して、撮影準備情報の要求指示を情報管理装置３０に送信する（ステップＳ２）。
【００４４】
次いで、ＣＰＵ１１は、Ｉ／Ｆ１７を介して、ＦＰＤＩＤ及び撮影準備情報を受信し（ステップＳ３）、受信したＦＰＤＩＤ及び撮影準備情報を記憶部１６に記憶させる。ここで、撮影準備情報は、技師が撮影を行うための準備に必要となる情報であり、例えば、検査ＩＤ、患者名、撮影室、撮影機種等を含む情報である。ＣＰＵ１１は、取得した撮影準備情報を表示部１２に表示させ（ステップＳ５）、本撮影準備処理を終了する。
【００４５】
なお、上述した撮影準備処理は、ＦＰＤ１０を初めて使用する場合に実行される処理であり、２回目以降に撮影を行う場合、ＦＰＤ１０は、記憶部１６に記憶したＦＰＤＩＤを撮影準備情報要求指示と共に送信し、情報管理装置３０は、受信したＦＰＤＩＤに対応する撮影オーダ情報を取得して撮影準備情報を抽出する。そして、情報管理装置３０は、撮影準備情報をＦＰＤ１０に送信し、ＦＰＤ１０は、受信した撮影準備情報を記憶部１６に記憶すると共に、表示部１２に表示する。
【００４６】
ここで、図７を参照して、ＦＰＤ１０の表示部１２に表示される撮影準備情報について説明する。図７に示すように、ＦＰＤ１０の表面には、ＬＣＤ等により構成される表示部１２が設けられ、表示部１２には、撮影準備情報として、検査ＩＤ「A001」、患者名「田中太郎」、撮影室「第２撮影室」、撮影装置「ブッキーNO.5」が表示されている。このように、撮影準備情報を表示させることにより、技師は、撮影対象となる患者、撮影が行われる場所、撮影を行う装置等を把握することができ、医用画像の撮影に係るワークフローを認識して、適切な業務計画を立てることができる。
なお、１枚のＦＰＤ１０には、通常複数の撮影オーダ情報が割り当てられているため、複数の撮影オーダ情報に対応する撮影準備情報を順次切り替えて表示可能となることが好ましい。
【００４７】
次に、図５（ｂ）に示すように、情報管理装置３０のＣＰＵ３１は、ネットワークＮを介して、ＦＰＤ１０から撮影準備情報の要求指示を受信すると（ステップＳ１１）、ＦＰＤ１０に固有の識別情報となるＦＰＤＩＤを発行する（ステップＳ１２）。次いで、ＣＰＵ３１は、発行したＦＰＤＩＤに撮影オーダ情報を振り分けて（ステップＳ１３）、振り分けた撮影オーダ情報から撮影準備に必要となる情報（例えば、検査ＩＤ，患者名，撮影室，撮影装置等）を撮影準備情報として抽出する（ステップＳ１４）。なお、ＦＰＤ１０に複数の撮影オーダ情報が振り分けられている場合、ＣＰＵ３１は、複数の撮影オーダ情報から撮影準備情報を抽出する。そして、ＣＰＵ３１は、抽出した撮影準備情報にＦＰＤＩＤを対応付けて、ＦＰＤ１０に送信し（ステップＳ１５）、本撮影準備処理を終了する。
【００４８】
次に、図６を参照して、撮影装置２０により実行される撮影処理について説明する。図６は、撮影装置２０のＣＰＵ２１により実行される撮影処理を示すフローチャートである。図６に示すように、撮影装置２０の備えるブッキー台又は臥位テーブルにＦＰＤ１０が装着されたことを検知すると（ステップＳ２１；ＹＥＳ）、ＣＰＵ１１は、ＦＰＤ１０の記憶部１６に記憶されているＦＰＤＩＤを取得する（ステップＳ２２）。
【００４９】
次いで、ＣＰＵ２１は、取得したＦＰＤＩＤと共に撮影オーダ情報の要求指示を情報管理装置３０に送信する（ステップＳ２３）。続いて、情報管理装置３０から撮影オーダ情報を受信すると（ステップＳ２４）、受信した撮影オーダ情報を表示部２２に一覧表示させる（ステップＳ２５）。つまり、１枚のＦＰＤ１０には、通常複数の撮影オーダ情報が割り当てられているため、当該ＦＰＤ１０に割り当てられている複数の撮影オーダ情報を情報管理装置３０から受信して、これらを一覧表示させることとなる。
【００５０】
次いで、表示部２２に表示された撮影オーダ情報の中から、操作部２３を介して撮影オーダ情報が選択されたか否かを判別し（ステップＳ２６）、撮影オーダ情報が選択された場合（ステップＳ２６；ＹＥＳ）、選択された撮影オーダ情報を表示部２２に表示させる（ステップＳ２７）。
【００５１】
そして、操作部２３を介して、撮影開始指示が入力されたか否かを判別し（ステップＳ２８）、撮影開始指示が入力された場合（ステップＳ２８；ＹＥＳ）、ＣＰＵ１１は、放射線源２８を制御して、被写体に対して放射線を照射して、ＦＰＤ１０に医用画像を記録させる（ステップＳ２９）。続いて、ＦＰＤ１０に記録した医用画像を取得し、取得した医用画像を表示部２２に表示させる（ステップＳ３０）。さらに、表示部２２に表示された医用画像に基づいて、撮影が成功したか否かの指示を入力させる。ここで、撮影成功の指示が入力された場合（ステップＳ３１；ＹＥＳ）、医用画像にＦＰＤＩＤ及び撮影オーダ情報を対応付けて、情報管理装置３０に送信する（ステップＳ３２）。
【００５２】
続いて、次の医用画像の撮影を行うか否かの指示を入力させ、次の医用画像の撮影を行う指示が入力された場合（ステップＳ３３；ＹＥＳ）、ＦＰＤ１０に記録させた医用画像を消去させ（ステップＳ３４）、ステップＳ２５に移行して、上述した処理を繰り返して実行する。なお、ステップＳ３３において、撮影を終了する指示が入力された場合（ステップＳ３３；ＮＯ）、本撮影処理を終了する。
【００５３】
一方、ステップＳ３１において、撮影失敗の指示が入力された場合（ステップＳ３１；ＮＯ）、ステップＳ３４に移行して、ＦＰＤ１０に記録させた医用画像を消去させ、ステップＳ２５に移行して、再度医用画像の撮影を行わせる。或いは、撮影処理を終了する。
【００５４】
以上のように、本実施の形態によれば、医用画像の撮影前には、情報管理装置３０によりＦＰＤ１０に固有のＦＰＤＩＤを発行させると共に、ＦＰＤＩＤに複数の撮影オーダ情報を振り分けて、振り分けた撮影オーダ情報から撮影準備情報を抽出させ、対応するＦＰＤ１０に撮影準備情報を送信して、ＦＰＤ１０の表示部１２に撮影準備情報を表示させる。また、撮影時には、ＦＰＤ１０を撮影装置２０に挿入させ、撮影装置２０により、ＦＰＤ１０からＦＰＤＩＤを取得させ、当該ＦＰＤＩＤに基づいて情報管理装置３０から撮影オーダ情報を取得させる。また、取得した撮影オーダ情報を撮影装置２０の表示部２２に表示させて、所望の撮影オーダ情報を選択させ、選択された撮影オーダ情報に基づいて、医用画像の撮影を行わせる。さらに、撮影後には、撮影装置２０の表示部２２に医用画像を表示させ、撮影が成功している場合、ＦＰＤＩＤ及び撮影オーダ情報を医用画像に対応付けて情報管理装置３０に送信させ、ＦＰＤ１０から医用画像を消去させる。
【００５５】
したがって、情報管理装置３０において一括して、ＦＰＤ１０に固有のＦＰＤＩＤを発行し、発行されたＦＰＤＩＤ毎に撮影オーダ情報を振り分けるため、ＦＰＤ１０と振り分けられた撮影オーダ情報との関連を明確にすることができる。これにより、撮影オーダ情報をＦＰＤ１０に振り分ける際、重複又は漏れが生じることなく、適切に撮影オーダ情報をＦＰＤ１０に振り分けて医用画像の撮影を行うことができる。
【００５６】
また、ＦＰＤＩＤ毎に振り分けられた撮影オーダ情報から撮影準備に必要となる情報（例えば、検査ＩＤ，患者名，撮影室，撮影装置等）を抽出し、撮影準備情報としてＦＰＤ１０に送信して、ＦＰＤ１０の表示部１２に撮影準備情報を表示させるため、技師は、ＦＰＤ１０の表示部１２を参照するだけで、ＦＰＤ１０に係る撮影業務のワークフローを把握することができ、効率のよい業務計画を立てることができる。これにより、作業効率を向上させると共に、患者への負担を軽減させることができる。
【００５７】
また、撮影時に、撮影装置２０にＦＰＤ１０を挿入し、ＦＰＤ１０のＦＰＤＩＤを取得させ、取得されたＦＰＤＩＤに基づいて、情報管理装置３０から対応する撮影オーダ情報を取得することができるため、ＦＰＤ１０に振り分けられた撮影オーダ情報を確実に取得することができる。これにより、重複撮影又は撮影漏れを防止して、効率よく撮影処理を行うことができる。
【００５８】
さらに、撮影後、ＦＰＤ１０に記録させた医用画像を撮影装置２０の表示部２２に表示させ、医用画像の撮影が成功したか否かをその場で判別することができるため、撮影が成功している場合、ＦＰＤＩＤ及び撮影オーダ情報に医用画像を対応付けて情報管理装置３０に送信させ、ＦＰＤ１０に記録した医用画像を消去することができる。これにより、１枚のＦＰＤ１０を利用して連続した撮影を行うことができ、効率良く撮影処理を行うことができる。
【００５９】
また、医用画像の撮影が失敗している場合、ＦＰＤ１０に記録させた医用画像を消去して、その場で医用画像の再撮影を判断することができるため、患者及び技師の負担を軽減させることができる。さらに、精度良く医用画像を撮影することができるため、医用画像の品質を保証して、診断精度の向上を図ることができる。
【００６０】
なお、上述した本実施の形態における記述は、本発明に係る好適な医用画像システムの一例であり、これに限定されるものではない。例えば、本実施の形態においては、ＦＰＤ１０の要求に応じて個々のＦＰＤにＦＰＤＩＤを発行する場合を例として説明を行ったが、予めＦＰＤの記憶部１６にＦＰＤＩＤが記憶されているか、ＦＰＤ１０の表面に貼付されたバーコードによりＦＰＤＩＤが固定して設定されていてもよい。この場合、ＦＰＤ１０は予め情報管理装置３０にＦＰＤＩＤを送信してＦＰＤＩＤの登録を行い、このＦＰＤＩＤに対応付けて撮影オーダ情報の振り分けを行わせる。そして、撮影準備情報の要求指示と共にＦＰＤＩＤを送信し、ＦＰＤＩＤに対応する撮影準備情報を受信する。
【００６１】
また、本実施の形態においては、撮影した医用画像を撮影装置２０に備える表示部２２に表示させる場合を例として説明を行ったが、撮影した医用画像を表示装置４０に送信して、表示装置４０で医用画像の確認を行う構成であってもよい。或いは、医用画像システム１００に表示装置４０を備えずに、撮影装置２０に備える表示部２２が表示装置４０と同等の機能を備える構成であってもよい。さらに、ＦＰＤ１０はＩ／Ｆ１７を介して情報管理装置３０と直接的に接続される場合を例として説明を行ったが、これに限らず、ＦＰＤ１０はＩ／Ｆ１７を介してネットワークＮに接続され、ネットワークＮを介して情報の送受信が行われる構成であってもよい。
【００６２】
また、撮影準備情報に含まれる情報は一例であり、上述した例に限定されない。すなわち、技師が医用画像の撮影準備に必要となる情報が含まれていればよい。したがって、ＦＰＤ１０の表示部１２に表示される撮影準備情報についても上述した例に限定されない。なお、本実施の形態においては、ＦＰＤ１０に表示部１２を備え、表示部１２に撮影準備情報を表示させる構成としたが、ＦＰＤ１０に表示部１２を備えずに、別体に構成される表示装置に接続され、記憶部１６に記憶された撮影準備情報を読み出して、接続された表示装置に撮影準備情報を表示させる構成であってもよい。
【００６３】
その他、本実施の形態における医用画像システム１００の各構成要素の細部構成、及び細部動作に関しては、本発明の趣旨を逸脱することのない範囲で適宜変更可能であることは勿論である。
【図面の簡単な説明】
【００６４】
【図１】本発明を適用した実施の形態における医用画像システム１００のシステム構成を示す図である。
【図２】図１に示すＦＰＤ１０の機能的構成を示すブロック図である。
【図３】図１に示す撮影装置２０の機能的構成を示すブロック図である。
【図４】図１に示す情報管理装置３０の機能的構成を示すブロック図である。
【図５】（ａ）図２に示すＣＰＵ１１により実行される撮影準備処理を示すフローチャートである。（ｂ）図４に示すＣＰＵ３１により実行される撮影準備処理を示すフローチャートである。
【図６】図３に示すＣＰＵ２１により実行される撮影処理を示すフローチャートである。
【図７】ＦＰＤ１０に表示される撮影準備情報の表示画面例である。
【符号の説明】
【００６５】
１００    医用画像システム
１０  ＦＰＤ
１１    ＣＰＵ
１２    表示部
１３    操作部
１４    画像読取部
１５    ＲＡＭ
１６    記憶部
１７    Ｉ／Ｆ
２０  撮影装置
２１    ＣＰＵ
２２    表示部
２３    操作部
２４    通信部
２５    ＲＡＭ
２６    記憶部
２７    画像処理部
２８    放射線源
２９    Ｉ／Ｆ
３０  情報管理装置
３１    ＣＰＵ
３２    表示部
３３    入力部
３４    通信部
３５    ＲＡＭ
３６    記憶部
３７    Ｉ／Ｆ
Ｎ    ネットワーク
【図１】
2005160764.tif 000003
【図２】
2005160764.tif 000004
【図３】
2005160764.tif 000005
【図４】
2005160764.tif 000006
【図５】
2005160764.tif 000007
【図６】
2005160764.tif 000008
【図７】
2005160764.tif 000009